(57)【特許請求の範囲】
【請求項１】
上面側が開放されたケース内に受光基板と制御基板とを収容した状態で、前記受光基板及び前記制御基板の双方が覆われるように、前記ケース内に前記受光基板及び前記制御基板に搭載された電気部品を湿気から保護するポッティング剤を充填した浴室暖房機のコントローラユニットにおいて、
前記ケースが、前記受光基板を立てた状態で収容する深い受光基板収容部と、この受光基板収容部に隣接する、前記制御基板を横にした状態で収容する浅い制御基板収容部とを備えており、
前記制御基板収容部には、前記受光基板収容部に配置された前記受光基板の上端位置と同レベルまたは前記受光基板の上端位置よりも下側に、前記制御基板を配置したことを特徴とする浴室暖房機のコントローラユニット。
【請求項２】
上面側が開放されたケース内に受光基板と制御基板とを収容した状態で、前記受光基板及び前記制御基板の双方が覆われるように、前記ケース内に前記受光基板及び前記制御基板に搭載された電気部品を湿気から保護するポッティング剤を充填した浴室暖房機のコントローラユニットにおいて、
前記ケースの側壁側から受光することができるように前記受光基板を立てた状態で配置すると共に、一端側が前記受光基板の上端部に位置し、他端側が前記受光基板の下端部に位置するように、前記制御基板を傾斜させた状態で配置し、
前記ケースを構成している底壁を上方側に窪ませることによって、前記制御基板に対応する底壁部分を前記制御基板に平行になるように傾斜させたことを特徴とする浴室暖房機のコントローラユニット。
【請求項３】
請求項１または２に記載のコントローラユニットを、前記受光基板の受光部が前面側を向くように、前記制御基板を立てた状態で、本体ケースの側端部に取り付けたことを特徴とする浴室暖房機。
【発明の詳細な説明】
【０００１】
【発明の属する技術分野】
この発明は、ポッティング剤の使用量を最小限に抑えることができる浴室暖房機のコントローラユニット及びそのコントローラユニットを取り付けた浴室暖房機に関する。
【０００２】
【従来の技術】
温水暖房熱源機から供給される温水の熱を利用して浴室内に温風を吹き出すことによって浴室内の暖房を行う壁掛けタイプの浴室暖房乾燥機には、循環ファン、換気ファン、熱動弁等を備えた機器本体を統括的に制御する制御基板と、操作リモコンからの赤外線信号を受光する受光基板とが、本体ケース内に収容されており、これらの制御基板及び受光基板は、それぞれ個別のケースに収容された状態で、搭載された電気部品を湿気から保護するポッティング処理が施されていた。
【０００３】
ところで、制御基板と受光基板とは、その大きさが極端に異なっており、しかも、受光基板は、その受光部が本体ケースの前面側を向くように取り付けなければならないという制約があるので、上述したように、それぞれ個別のケース内に収容したほうが、両者を本体ケース内に効率よく収容することができるという利点があるが、このように、制御基板と受光基板とを個別のケースに収容すると、部品点数が増えると共にポッティング処理も個別に行わなくてはならないので、製品コストが上昇してしまうといった欠点がある。
【０００４】
このため、図８（ａ）〜（ｄ）に示すように、制御基板５１と受光基板５２とを同一のケース５３内に収容した状態で、ケース５３内にポッティング剤Ｐを充填することによって、一体的にポッティング処理を施したコントローラユニット５０を、図９（ａ）、（ｂ）に示すように、本体ケース６１内に収容するようにした浴室暖房乾燥機６０もある。
【０００５】
このコントローラユニット５０は、図８（ａ）、（ｄ）に示すように、上面側が開放されたケース５３の側壁側から受光することができるように、前記受光基板５２はケース５３の一方の側壁５３ａ側に立てた状態で配置され、制御基板５１はケース５３の底壁５３ｃの内面に沿うように寝かせた状態で配置されている。
【０００６】
また、ケース５３内に収容された制御基板５１には、同図（ｄ）に示すように、側壁５３ａに対向する他方の側壁５３ｂ側にコネクタ５１ａが設けられており、ケース５３内にポッティング剤Ｐを充填する際、コネクタ５１ａの接続部分がポッティング剤Ｐによって覆われないように、ケース５３を水平面に載置したとき、制御基板５１のコネクタ５１ａ側を持ち上げるようなリブ５４がケース５３の底壁５３ｃに連設されている。
【０００７】
【発明が解決しようとする課題】
ところで、このコントローラユニット５０は、上述したように、制御基板５１に設けられたコネクタ５１ａの接続部分がポッティング剤Ｐによって覆われないように、ケース５３を傾けた状態でポッティング剤Ｐを充填するようになっているので、ケース５３内がポッティング剤Ｐで完全に充満されることがなく、結果として、ポッティング剤Ｐの使用量がある程度抑えられることになる。
【０００８】
しかしながら、上述したようなコントローラユニット５０では、制御基板５１や受光基板５２を保護するのに特に寄与していない、同図（ｄ）に二点鎖線で示す部分にもポッティング剤Ｐが充填されることになるので、こういった部分をできるだけ少なくすることによって、ポッティング剤Ｐの使用量を最小限に抑えることが望まれている。
【０００９】
そこで、この発明の課題は、ポッティング剤の使用量を最小限に抑えることができる浴室暖房機のコントローラユニット及びそのコントローラユニットを取り付けた浴室暖房機を提供することにある。
【００１０】
【課題を解決するための手段及びその効果】
上記の課題を解決するため、請求項１にかかる発明は、上面側が開放されたケース内に受光基板と制御基板とを収容した状態で、前記受光基板及び前記制御基板の双方が覆われるように、前記ケース内に前記受光基板及び前記制御基板に搭載された電気部品を湿気から保護するポッティング剤を充填した浴室暖房機のコントローラユニットにおいて、前記ケースが、前記受光基板を立てた状態で収容する深い受光基板収容部と、この受光基板収容部に隣接する、前記制御基板を横にした状態で収容する浅い制御基板収容部とを備えており、前記制御基板収容部には、前記受光基板収容部に配置された前記受光基板の上端位置と同レベルまたは前記受光基板の上端位置よりも下側に、前記制御基板を配置したことを特徴とする浴室暖房機のコントローラユニットを提供するものである。
【００１１】
以上のように、このコントローラユニットは、制御基板及び受光基板を収容するケースを、受光基板を立てた状態で収容する深い受光基板収容部と、制御基板を横にした状態で収容する浅い制御基板収容部とによって構成したため、ケース内の所定位置に制御基板及び受光基板を収容し、浅い制御基板収容部を水平面に載置した状態で、ケース内にポッティング剤を充填すると、制御基板及び受光基板の双方を最小限のポッティング剤で効率よく覆うことができる。
【００１２】
従って、受光基板を立てた状態で収容する受光基板の収容部と、制御基板を横にした状態で収容する制御基板の収容部とが略同一深さに形成されたケース内に制御基板及び受光基板を収容し、ケースを傾けた状態でポッティング剤を充填するようにした従来のコントローラユニットに比べて、制御基板及び受光基板の双方を覆うのに必要なポッティング剤の使用量が少なくなり、コントローラユニットを低コストで生産することが可能となる。
【００１３】
また、上記の課題を解決するため、請求項２にかかる発明は、上面側が開放されたケース内に受光基板と制御基板とを収容した状態で、前記受光基板及び前記制御基板の双方が覆われるように、前記ケース内に前記受光基板及び前記制御基板に搭載された電気部品を湿気から保護するポッティング剤を充填した浴室暖房機のコントローラユニットにおいて、前記ケースの側壁側から受光することができるように前記受光基板を立てた状態で配置すると共に、一端側が前記受光基板の上端部に位置し、他端側が前記受光基板の下端部に位置するように、前記制御基板を傾斜させた状態で配置し、前記ケースを構成している底壁を上方側に窪ませることによって、前記制御基板に対応する底壁部分を前記制御基板に平行になるように傾斜させたのである。
【００１４】
以上のように構成されたコントローラユニットは、立てた状態で収容された受光基板の上端部に一端側が位置し、他端側が受光基板の下端部に位置するように、制御基板を傾斜させた状態で配置し、ケースの底壁を上方側に窪ませることによって、制御基板に対応する底壁部分を制御基板に平行になるように傾斜させる構成を採用したので、ケース内の所定位置に制御基板及び受光基板を収容し、傾斜させた底壁部分を水平面に載置した状態で、ケース内にポッティング剤を充填すると、上述したコントローラユニットと同様に、制御基板及び受光基板の双方を最小限のポッティング剤で効率よく覆うことができる。
【００１５】
特に、このコントローラユニットは、ケースの底壁が上方側に窪んでいるだけで、ケースの全体が歪な形状にならないので、コントローラユニットの保管や輸送の際の取扱性に優れており、しかも、浴室暖房機の本体ケースに取り付けやすくなるという効果が得られる。
【００１６】
上述したようなコントローラユニットは、請求項３にかかる浴室暖房機のように、前記受光基板の受光部が前面側を向くように、前記制御基板を立てた状態で、本体ケースの側端部に取り付けることによって、浴室暖房機のコンパクト化を図ることが可能となる。
【００１７】
【発明の実施の形態】
以下、実施の形態について図面を参照して説明する。図１（ａ）、（ｂ）は、温水暖房熱源機から供給される温水の熱を利用して浴室内に温風を吹き出すことによって浴室内の暖房を行う壁掛けタイプの浴室暖房乾燥機１を示しており、この浴室暖房乾燥機１は、同図に示すように、取付板を介して浴室の壁面に取り付けられる、前面が開放された本体ケース２と、この本体ケース２の前面側を覆う、開閉可能なフロントグリル３ａを有するフロントカバー３とを備えている。
【００１８】
前記本体ケース２には、図２及び図３に示すように、温水暖房熱源機から供給される温水と浴室内の空気との間で熱交換を行う熱交換器４、この熱交換器４への温水の供給を制御する熱動弁５、浴室内の空気を循環させる循環ファン６、吹出口から吹き出される温風の風向調整を行う風向調整ルーバー７及びコントローラユニット１０等が収容されており、コントローラユニット１０は、本体ケース２の右側端部にビス止めされ、図１に示すように、その前面部分がフロントカバー３の右側端部に形成された窓３ｂから露出している。
【００１９】
前記コントローラユニット１０は、図４（ａ）、（ｂ）及び図５（ａ）〜（ｄ）に示すように、本体ケース２内に収容された熱動弁５、循環ファン６、風向調整ルーバー７及び屋外に設置される換気ファンユニット等を統括的に制御する制御基板１１と、操作リモコンからの赤外線信号を受光する受光部及び運転中や受光確認等の表示を行うＬＥＤを備えた受光基板１２と、制御基板１１及び受光基板１２を収容する、上面側が開放されたトレイ状のケース１３とから構成されており、ケース１３内には、ウレタン樹脂等のポッティング剤Ｐが充填されることによって、ケース１３に収容された制御基板１１及び受光基板１２が保護されている。
【００２０】
前記ケース１３は、透明のプラスチック材料によって形成されており、図４（ａ）、（ｂ）に示すように、幅広の制御基板収容部１４と幅狭の受光基板収容部１５とを備えている。また、ケース１３には、図４及び図５に示すように、浴室暖房乾燥機１の本体ケース２に取り付けるための係止爪１７及びビス止め片１８が連設されており、ビス止め片１８にはビスを挿通するための切欠部１８ａが形成されている。
【００２１】
ケース１３の底壁１３ｃは、図５（ｂ）〜（ｄ）に示すように、制御基板収容部１４を形成している部分が受光基板収容部１５側に向かって上方に傾斜していると共に、受光基板収容部１５を形成している部分が制御基板収容部１４側に向かって上方に傾斜しており、制御基板収容部１４には、その底壁１３ｃの内面に沿って傾斜させるように寝かせた状態で制御基板１１が収容固定されている。
【００２２】
受光基板収容部１５を形成しているケース１３の側壁１３ａには、図４（ａ）及び図５（ｄ）に示すように、その内面に受光基板１２を若干傾斜させるように立てた状態でビス止めする支持部１５ａと、この支持部１５ａにビス止めされた受光基板１２の受光部及びＬＥＤを取り囲む筒状の窓部１５ｂとが連設されており、側壁１３ａの外面には、図５（ａ）に示すように、各窓部１５ｂに対応して穴１６ａが形成された化粧シール１６が貼着されている。
【００２３】
従って、ケース１３内に制御基板１１及び受光基板１２を収容固定した状態では、図５（ｄ）に示すように、制御基板１１の一端側が受光基板１２の上端部に位置し、制御基板１１の他端側が受光基板１２の下端部に位置しているので、図６に示すように、ケース１３の底壁１３ｃにおける制御基板収容部１４を形成している部分を水平面に載置すると、制御基板１１が水平状態となり、この制御基板１１が完全に覆われるまで、ポッティング剤Ｐをケース１３内に充填すると、受光基板１２もポッティング剤Ｐによって略覆われた状態となる。なお、制御基板１１には、図５（ｄ）に示すように、その他端側、即ち、制御基板収容部１４を形成しているケース１３の側壁１３ｂ側にコネクタ１１ａが設けられているが、適正量のポッティング剤を充填すると、コネクタ１１ａの接続部分がポッティング剤Ｐによって覆われることはない。
【００２４】
以上のように構成されたコントローラユニット１０は、図２及び図３に示すように、制御基板１１を立てるようにして、化粧シール１６が貼着されたケース１３の側壁１３ａを前面に向けた状態で、ケース１３に設けられた係止爪１７を、浴室暖房乾燥機１の本体ケース２に形成された穴２ａに差し込んで引っかけた状態で、ケース１３に設けられたビス止め片１８の切欠部１８ａにビスを挿通して、ビス止め片１８を本体ケース２の支持部にビス止めすることによって、本体ケース２の右側端部に取り付けられる。
【００２５】
以上のように、このコントローラユニット１０は、ケース１３の受光基板収容部１５に受光基板１２を立てた状態で収容し、一端側が受光基板１２の上端部に位置し、他端側が受光基板１２の下端部に位置するように、制御基板１１を傾斜させた状態で制御基板収容部１４に収容し、ケース１３の底壁１３ｃを上方側に窪ませることによって、底壁１３における制御基板収容部１４を形成している部分を制御基板１１に平行になるように傾斜させる構成を採用したので、ケース１３の底壁１３ｃにおける制御基板収容部１４を形成している部分を水平面に載置した状態で、ケース１３内にポッティング剤Ｐを充填すると、制御基板１１及び受光基板１２の双方を最小限のポッティング剤Ｐで効率よく覆うことができる。
【００２６】
従って、受光基板を立てた状態で収容する受光基板の収容部と、制御基板を横にした状態で収容する制御基板の収容部とが略同一深さに形成されたケース内に制御基板及び受光基板を収容し、ケースを傾けた状態でポッティング剤を充填するようにした従来のコントローラユニットに比べて、制御基板１１及び受光基板１２の双方を覆うのに必要なポッティング剤Ｐの使用量が少なくなり、コントローラユニット１０を低コストで生産することが可能となる。
【００２７】
また、このコントローラユニット１０は、トレイ状のケース１３の底壁１３ｃを上方側に窪ませているだけなので、安定した状態で積み重ねることができ、コントローラユニット１０の保管や輸送の際の取扱性に優れていると共に、浴室暖房乾燥機１の本体ケース２に取り付けやすいという効果が得られる。
【００２８】
また、このコントローラユニット１０は、上述したように、受光基板１２の受光部が前面側を向くように、制御基板１１を立てた状態で、浴室暖房乾燥機１の本体ケース２の右側端部に取り付けるようにしたので、浴室暖房乾燥機１の幅を最小限に抑えることができ、浴室暖房乾燥機１のコンパクト化を図ることが可能となる。
【００２９】
なお、上述した実施形態では、コントローラユニット１０を浴室暖房乾燥機１の本体ケース２の右側端部に取り付けるようにしているが、これに限定されるものではなく、浴室暖房乾燥機の構造によっては、左側端部にコントローラユニット１０を取り付けてもよい。
【００３０】
また、上述した実施形態では、底壁１３ｃを上方側に窪ませたケース１３を使用しているが、これに限定されるものではなく、例えば、図７に示すコントローラユニット２０のように、制御基板２１を横にした状態で収容する浅い制御基板収容部２４と、この制御基板収容部２４に隣接する、受光基板２２を立てた状態で収容する深い受光基板収容部２５とによってケース２３を形成し、制御基板収容部２４には、受光基板収容部２５に収容された受光基板２２の上端位置と同レベルまたは受光基板２２の上端位置よりも下側に、制御基板２１を収容固定するようにしてもよい。
【００３１】
このコントローラユニット２０の場合は、ケース２３の浅い制御基板収容部２４を水平面に載置した状態で、ケース２３内にポッティング剤Ｐを充填すると、上述したコントローラユニット１０と同様に、制御基板２１及び受光基板２２の双方を最小限のポッティング剤Ｐで効率よく覆うことができる。
【図面の簡単な説明】
【図１】（ａ）はこの発明にかかる浴室暖房機の一実施形態である浴室暖房乾燥機を示す正面図、（ｂ）は同上の浴室暖房乾燥機を示す側面図である。
【図２】同上の浴室暖房乾燥機におけるフロントカバーを外した状態を示す正面図である。
【図３】同上の浴室暖房乾燥機におけるフロントカバーを外した状態を示す一部切欠側面図である。
【図４】（ａ）は同上の浴室暖房乾燥機に取り付けられるコントローラユニットを示す平面図、（ｂ）は同上のコントローラユニットを示す底面図である。
【図５】（ａ）は同上のコントローラユニットを示す正面図、（ｂ）は同上のコントローラユニットを示す右側面図、（ｃ）は同上のコントローラユニットを示す左側面図、（ｄ）は同上のコントローラユニットを示す断面図である。
【図６】同上のコントローラユニットにおけるポッティング処理を行うときの状態を示す断面図である。
【図７】他の実施形態であるコントローラユニットを示す断面図である。
【図８】（ａ）は従来のコントローラユニットを示す平面図、（ｂ）は同上のコントローラユニットを示す底面図、（ｃ）は同上のコントローラユニットを示す側面図、（ｄ）は同上のコントローラユニットを示す断面図である。
【図９】（ａ）は同上のコントローラユニットが取り付けられた浴室暖房乾燥機を示す正面図、（ｂ）は同上の浴室暖房乾燥機におけるフロントカバーを外した状態を示す正面図である。
【符号の説明】
１  浴室暖房乾燥機
１０、２０  コントローラユニット
１１、２１  制御基板
１１ａ  コネクタ
１２、２２  受光基板
１３、２３  ケース
１３ａ、１３ｂ  側壁
１３ｃ  底壁
１４、２４  制御基板収容部
１５、２５  受光基板収容部
１５ａ  支持部
１５ｂ  窓部
１６  化粧シール
Ｐ  ポッティング剤
【図１】
0003724389.tif 000002
【図２】
0003724389.tif 000003
【図３】
0003724389.tif 000004
【図４】
0003724389.tif 000005
【図５】
0003724389.tif 000006
【図６】
0003724389.tif 000007
【図７】
0003724389.tif 000008
【図８】
0003724389.tif 000009
【図９】
0003724389.tif 000010